(57)【要約】【課題】本発明は、安全なバックルを有するバックル装置及びこれを用いるランプを提供することを目的とする。【解決手段】本発明に係るバックル装置は、第一部材を第二部材にロックするために用いられ、一端が前記第一部材に枢着される接続部材と、一端は前記接続部材の他端に枢着され、他端は前記第二部材に係合するバックルと、を備え、前記接続部材にはノブが設置され、前記ノブは、前記バックルを貫いて前記バックルをロックする端部を有する。本発明に係るランプは、前記バックル装置によってランプカバーをランプ本体にロックする。【選択図】図４
2011143248.tif 000002
【特許請求の範囲】
【請求項１】
第一部材を第二部材にロックするために用いられ、
一端が前記第一部材に枢着される接続部材と、
一端は前記接続部材の他端に枢着され、他端は前記第二部材に係合するバックルと、
を備えてなるバックル装置であって、
前記接続部材にはノブが設置され、前記ノブは前記バックルを貫いて前記バックルをロックする端部を有することを特徴とするバックル装置。
【請求項２】
前記ノブは、前記接続部材に螺合するスクリューシャフト及び前記スクリューシャフトの頂部に位置するハンドルを備え、前記バックルを貫いた前記ハンドルを回転して、前記ハンドルで前記バックルをロックすることを特徴とする請求項１に記載のバックル装置。
【請求項３】
前記バックルには、前記ハンドルに対応する貫通孔が設けられ、前記バックルの前記貫通孔の周囲には、前記ハンドルの回転方向に沿って前記貫通孔の中心に対して対称に位置する２つのセクターブロックが設置され、前記貫通孔を貫いた前記ハンドルを所定の角度に回転すると、前記ハンドルは前記セクターブロックに当止されることを特徴とする請求項２に記載のバックル装置。
【請求項４】
ランプカバーと、ランプ本体と、前記ランプカバーを前記ランプ本体にロックするために用いられる複数のバックル装置と、を備えてなるランプ装置であって、
各々のバックル装置は、接続部材及びバックルを備え、前記接続部品の一端は、前記ランプ本体に枢着され、前記接続部品の他端は、前記バックルの一端に枢着され、前記バックルの他端は、前記ランプカバーに係合し、前記接続部材と前記バックルとの共同の枢着点が前記ランプ本体に向かって、前記接続部材の一端と前記ランプ本体との枢着点と、前記バックルの他端と前記ランプカバーとの係合点と、を通る直線を越えると、前記ランプカバーは前記ランプ本体にロックされ、
各々の前記バックル装置は、前記接続部材と前記バックルとの共同の枢着点が前記ランプ本体から離間して前記接続部材の一端と前記ランプ本体との枢着点と、前記バックルの他端と前記ランプカバーとの係合点と、を通る直線を越えることを防ぐノブをさらに備えることを特徴とするランプ装置。
【請求項５】
前記ノブは、スクリューシャフト及び前記スクリューシャフトの頂部に位置するハンドルを備え、前記バックルを貫いた前記ハンドルを回転して、前記ハンドルで前記バックルをロックして、前記ランプカバーは、前記ランプ本体にロックされることを特徴とする請求項４に記載のランプ装置。
【請求項６】
前記ノブの前記スクリューシャフトは、前記接続部材に螺合するか又は前記ランプ本体に螺合することを特徴とする請求項５に記載のランプ装置。
【請求項７】
前記バックルには、前記ハンドルに対応する貫通孔が開設され、前記バックルの前記貫通孔の周囲には、前記ハンドルの回転方向に沿って前記貫通孔の中心に対して対称に位置する２つのセクターブロックが設置され、前記貫通孔を貫いた前記ハンドルを所定の角度に回転すると、前記ハンドルは、前記セクターブロックに当止されることを特徴とする請求項６に記載のランプ装置。
【発明の詳細な説明】
【技術分野】
【０００１】
本発明は、ランプに関するものであって、特にバックル装置を有するランプに関するものである。
【背景技術】
【０００２】
ランプを便利に組み立てるため又は補修するために、ランプ本体とランプカバーとは、多くの場合、バックル装置によって連結している。
【発明の概要】
【発明が解決しようとする課題】
【０００３】
しかし、従来のバックル装置において、バックルが押圧物体に対して作用力を生成するため、前記バックルが外力を受けて係合状態から解除される際、前記ランプカバーが前記ランプ本体から脱落して、前記ランプの使用寿命を短縮する、又は、近辺の建物、通行人、車等に対して危険であることがある。
【０００４】
本発明の目的は、前述の課題を解決し、安全なバックルを有するバックル装置及びこれを用いるランプを提供することである。
【課題を解決するための手段】
【０００５】
本発明に係るバックル装置は、第一部材を第二部材にロックするために用いられ、一端が前記第一部材に枢着される接続部材と、一端は前記接続部材の他端に枢着され、他端は前記第二部材に係合するバックルと、を備え、前記接続部材にはノブが設置され、前記ノブは、前記バックルを貫いて前記バックルをロックする端部を有する。
【０００６】
本発明に係るランプは、ランプカバーと、ランプ本体と、前記ランプカバーを前記ランプ本体にロックするために用いられる複数のバックル装置と、を備え、各々のバックル装置は、接続部材及びバックルを備え、前記接続部品の一端は、前記ランプ本体に枢着され、前記接続部品の他端は、前記バックルの一端に枢着され、前記バックルの他端は、前記ランプカバーに係合し、前記接続部材と前記バックルとの共同の枢着点が、前記ランプ本体に向かって前記接続部材の一端と前記ランプ本体との枢着点と、前記バックルの他端と前記ランプカバーとの係合点と、の接続線を越えると、前記ランプカバーは、前記ランプ本体にロックされ、各々のバックル装置は、前記接続部材と前記バックルとの共同の枢着点が、前記ランプ本体から離間し、前記接続部材の一端と前記ランプ本体との枢着点と、前記バックルの他端と前記ランプカバーとの係合点と、の接続線を越えることを防ぐノブをさらに備える。
【発明の効果】
【０００７】
本発明のバックル装置及びこれを用いるランプにおいて、前記バックル装置はノブを有し、前記ノブの端部は、前記バックル装置のバックルを貫いて前記バックルをロックするため、外力作用によって前記バックル装置の接続部材とバックルとの共同の枢着点が、ランプ本体から離間し、前記接続部材の一端と前記ランプ本体との枢着点と、前記バックルの他端と前記ランプカバーとの係合点と、の接続線を越えて、前記ランプカバーが前記ランプ本体の頂部から脱落することを防ぎ、前記ランプの寿命を高めて、前記ランプの潜在的な危険性を排除する。
【図面の簡単な説明】
【０００８】
【図１】本発明の実施形態に係るランプの立体図であり、１つのバックル装置をランプ本体から取り外した。
【図２】図１に示すランプのΙΙ―ΙΙ線に沿う断面図であり、ランプ本体の左側のバックル装置はロック状態であるが、ランプ本体の右側のバックル装置はロック解除状態である。
【図３】本発明の実施形態に係るバックル装置のロック解除状態での立体図である。
【図４】本発明の実施形態に係るバックル装置の立体分解図である。
【図５】本発明の実施形態に係るバックル装置のロック状態での立体図である。
【発明を実施するための形態】
【０００９】
以下、図面を参照して、本発明の実施形態について説明する。
【００１０】
図１〜２を参照すると、本発明の実施形態に係るランプは、ランプカバー１０と、ランプ本体２０と、前記ランプ本体２０の両側に取り付けられている複数のバックル装置３０と、前記ランプ本体２０の内部に装着された光源モジュール４０と、を備える。
【００１１】
前記ランプカバー１０は、透明材料又は半透明材料からなる平板状である。前記ランプカバー１０は、前記ランプ本体２０の頂部を被せて、前記光源モジュール４０を前記ランプ本体２０の内部に密封する。前記バックル装置３０の一端は前記ランプ本体２０に枢着され、前記バックル装置３０の他端は、前記ランプカバー１０の上面の周縁に係合している。前記光源モジュール４０からの光線は、前記ランプカバー１０から射出される。
【００１２】
前記ランプ本体２０は、略方形体である。前記ランプ本体２０の上部には、収容空間１２が設けられており、前記ランプ本体２０の下部には、複数の放熱フィン１４が設けられる。前記光源モジュール４０は、前記収容空間１２の底部に貼り合わせた電気回路基板４２及び前記電気回路基板４２に取り付けられた複数の発光素子４４を備える。本実施形態において、前記光源モジュール４０は、発光ダイオードモジュールであって、前記発光素子４４は、発光ダイオードであるが、他の実施形態において、前記光源モジュール４０は、他の発光構造体であってもよい。前記複数の放熱フィン１４は、互いに平行し、且つ互いに離間して配列される。前記複数の放熱フィン１４は、前記光源モジュール４０から生じる熱を吸収し、周囲の空気中に放熱する。前記ランプ本体２０の両側には、複数のバックルホルダー１６が設けられる。前記バックルホルダー１６は、略三角形であり、縦方向に沿って設置されて前記放熱フィン１４に平行する。前記バックルホルダー１６の頂部には、外側に開口した円柱孔である切欠口１８が設けられる。
【００１３】
図３及び図４を参照すると、前記バックル装置３０は、接続部材３２、前記接続部材３２の一端に枢着されているバックル３４、及び前記接続部材３２の中部に螺合されているノブ３６を備える。前記接続部材３２は、ピボットプレート３２０と、前記ピボットプレート３２０の一端に設置される２つの第一ピボットスリーブ３２２と、前記ピボットプレート３２０の他端に設置される２つの第二ピボットスリーブ３２５と、を備える。前記第一ピボットスリーブ３２２は、貫通孔３２１を有する。２つの前記第一ピボットスリーブ３２２の軸線は、同じ直線に位置し、且つ水平方向に沿って延在する。２つの前記第二ピボットスリーブ３２４の軸線も、同じ直線に位置し、且つ水平方向に沿って延在する。２つの前記第一ピボットスリーブ３２２の軸線は、２つの前記第二ピボットスリーブ３２４の軸線に平行する。１つの接続ロッド３２４が、前記２つの第二ピボットスリーブ３２４を貫いて、２つの前記第二ピボットスリーブ３２４に回動可能に接続され、２つの前記第二ピボットスリーブ３２４から突出する前記接続ロッド３２４の両端は、前記ランプ本体２０に設置された一対のバックルホルダー１６の切欠口１８の円柱孔を貫いて、前記接続部材３２の一端は、前記一対のバックルホルダー１６に枢着される。前記ピボットプレート３２０の中部には、メネジを有する取付部３２６が設けられており、前記取付部３２６の厚さは、前記ピボットプレート３２０の厚さより大きい。
【００１４】
前記バックル３４は、湾曲板状体である。前記バックル３４の一端には、フック３４０が設けられ、前記バックル３４の他端には、２つの枢着ロッド３４２が設けられる。２つの前記枢着ロッド３４２は、前記接続部材３２の２つの第一ピボットスリーブ３２２の貫通孔３２１を貫いて、前記バックル３４の他端を前記接続部材３２の他端に枢着する。前記バックル３４の外面の略中央部が加工されて円形の段差３４３を形成する。前記段差３４３の中部には、前記バックル３４を貫く貫通孔３４４が設けられている。前記貫通孔３４４が中部から両側へ拡張され、前記貫通孔３４４は略十字状を呈する。前記段差３４３から前記バックル３４の外側に向かって２つのセクターブロック３４６が突出し、２つの前記セクターブロック３４６は、前記貫通孔３４４の中心に対して対称に位置する。前記セクターブロック３４６の１つの側壁面は、前記貫通孔３４４の内壁と同じ平面に位置し、前記セクターブロック３４６の半径方向外側面は、前記段差３４３の円形内壁に当接し、前記セクターブロック３４６のもう１つの側壁面は、前記貫通孔３４４を貫いた前記ノブ３６の頂部を当止するために用いられる。前記セクターブロック３４６のセクター角度は略９０度である。２つの前記セクターブロック３４６の前記ノブ３６の頂部を当止するために用いられる側壁面は、互いに平行し且つ離間している。
【００１５】
前記ノブ３６は、オネジを有するスクリューシャフト３６０及び該スクリューシャフト３６０の頂部に位置するハンドル３６２を備える。前記スクリューシャフト３６０は、前記接続部材３２の取付部３２６に螺合される。前記ハンドル３６２は、扁平状であり、前記スクリューシャフト３６０に直交する。前記ハンドル３６２の短手方向の厚みは、前記スクリューシャフト３６０の直径より小さい。前記ハンドル３６２の長手方向の長さは、略十字状を呈する前記貫通孔３４４の長手方向の長さより若干小さく、前記スクリューシャフト３６０の直径は、略十字状を呈する前記貫通孔３４４の短手方向の長さより若干小さいため、前記ハンドル３６２及び前記スクリューシャフト３６０の前記ハンドル３６２に接続する部分は、前記貫通孔３４４を貫くことができる。前記ハンドル３６２が前記貫通孔３４４を貫いて前記段差３４３を超えて、前記スクリューシャフト３６０の軸を中心として前記ハンドル３６２を所定の角度に回転すると、前記ハンドル３６２の両側面は、２つの前記セクターブロック３４６のもう１つの側壁面に当接する。前記セクターブロック３４６を設置する第一目的は、前記ハンドル３６２が所定角度以上に回転して前記貫通孔３４４から離脱することを防ぐことであり、前記セクターブロック３４６を設置する第二目的は、前記ハンドル３６２を一方向にだけ回転させて、前記スクリューシャフト３６０を前記接続部材３２の取付部３２６に螺合し、前記ハンドル３６２で前記バックル３４を押圧して、前記バックル３４をしっかりとロックすることである。
【００１６】
他の実施形態において、前記バックル３４に前記ノブ３６の端部に対応する貫通孔３４４を設け、前記貫通孔３４４の周囲に前記ハンドル３６２の回転方向に沿って前記貫通孔３４４の中心に対して対称に位置するする２つのブロック３４６を設置して、前記ハンドル３６２を一方向だけ回転させて、前記スクリューシャフト３６０を前記接続部材３２の取付部３２６に螺合するとともに、前記ハンドル３６２が回転し過ぎて前記貫通孔３４４から離脱しないようにしてもよい。
【００１７】
図５を参照すると、ランプの組立過程において、前記バックル３４を操作して、前記バックル３４を前記接続部材３２に重ねるとともに、前記バックル３４及び前記接続部材３２を一緒に前記ランプ本体２０に近付かせて、前記ノブ３６のハンドル３６２及びスクリューシャフト３６０の前記ハンドル３６２に接続する部分が前記バックル３４の貫通孔３４４を貫いてから、前記ハンドル３６２を９０度回転させて、前記ハンドル３６２の両側が前記２つのセクターブロック３４６に当止される。図２に示したように、側面から前記バックル装置３０を見ると、前記接続部材３２の一端と前記バックル３４の一端との枢着点Ａは、前記接続部材３２の他端と前記バックルホルダー１６との枢着点Ｂと、前記バックル３４の他端と前記ランプカバー１０との係合点Ｃと、を通る直線より前記ランプ本体２０側に位置する。言い換えると、前記接続部材３２に枢着する前記バックル３４の端部が前記ランプ本体２０に向かって前記バックル装置３０の支点位置を越えて、前記バックル３４のフック３４０を前記ランプカバー１０の頂面に係合して、前記バックル装置３０のロック状態を実現し、且つ前記ハンドル３６２は前記バックル３４をしっかりとロックして、外力作用によって前記接続部材３２に枢着する前記バックル３４の端部が前記ランプ本体２０から離間して前記バックル装置３０の支点位置を越えて、前記バックル３４のフック３４０が前記ランプカバー１０から離れて、前記ランプカバー１０が前記ランプ本体２０から脱落しないようにする。
【００１８】
他の実施形態において、前記バックル装置３０のノブ３６は、前記ランプ本体２０に螺合してもよく、即ち、前記ノブ３６は、前記バックル３４に対応して前記ランプ本体２０のバックルホルダー１６と前記ランプ本体２０の底端との間に設置される。前記バックル３４が、前記ランプ本体２０に向かって前記接続部材３２に重なる際、前記ノブ３６は、前記バックル３４の前記接続部材３２に重ねなかった部分を貫いて、前記ノブ３６のハンドル３６２を９０度回転して、前記ノブ３６のハンドル３６２で前記バックル３４を押圧して、前記バックル３４をしっかりとロックする。
【００１９】
従来の技術に比べて、前記バックル装置３０はノブ３６を有し、前記ノブ３６の頂部が前記バックル３４を貫いてから、前記ノブ３６を回転し、前記ノブ３６で前記バックル３４を押圧して、前記バックル３４をしっかりとロックすることにより、外力作用によって前記バックル装置３０が、前記ランプ本体２０から離間して前記バックル装置３０の支点位置を越えて、前記ランプカバー１０が、前記ランプ本体２０の頂部から脱落することを防ぎ、前記ランプの寿命を高めて、前記ランプの潜在的な危険性を排除する。
【００２０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲によって決められる。
【符号の説明】
【００２１】
１０  ランプカバー
１２  収容空間
１４  放熱フィン
１６  バックルホルダー
１８  切欠口
２０  ランプ本体
３０  バックル装置
３２  接続部材
３４  バックル
３６  ノブ
４０  光源モジュール
４２  電気回路基板
４４  発光素子
３２０  ピボットプレート
３２１，３４４  貫通孔
３２２  第一ピボットスリーブ
３２４  接続ロッド
３２５  第二ピボットスリーブ
３２６  取付部
３４０  フック
３４２  枢着ロッド
３４３  段差
３４６  セクターブロック
３６０  スクリューシャフト
３６２  ハンドル
Ａ，Ｂ  枢着点
Ｃ  係合点
【図１】
2011143248.tif 000003
【図２】
2011143248.tif 000004
【図３】
2011143248.tif 000005
【図４】
2011143248.tif 000006
【図５】
2011143248.tif 000007